(57)【要約】      （修正有）【課題】丸型砥石の周速度を一定にするための、外径と回転数との関係が簡単にわかるようにする丸型砥石の回転数指示ラベルを提供する。【解決手段】丸型砥石１の円板面に配設されるラベル３であって、指定回転数を表示する表示部５を備え、表示部５には、研削により次第に小さくなる丸型砥石の外径に対応する複数の表示区画部５ａ、５ｂ、５ｃ、５ｄが設けられ、各表示区画部に、指定回転数が数字、又は、回転数に対応する色、記号、図形等により表示されている。【選択図】図１
0003214139.tif 000002
【実用新案登録請求の範囲】
【請求項１】
丸型砥石の円板面に配設されるラベルであって、
表示部を備え、
該表示部には、研削により次第に小さくなる前記丸型砥石の外径に対応する複数の表示区画部が設けられ、
該表示区画部には、指定回転数に関する表示がなされていることを特徴とする丸型砥石の回転数指示ラベル。
【請求項２】
前記指示回転数に関する表示は、数字、又は、該回転数に対応して定められた色、記号、図形であることを特徴とする請求項２記載の丸型砥石の回転数指示ラベル。
【請求項３】
前記表示部は、円板状に形成されており、各表示区画部は、リング状に形成されるとともに同心状に配設されていることを特徴とする請求項１記載の丸型砥石の回転数指示ラベル。
【請求項４】
前記表示部は、扇状、長方形状、又は、直線状に形成されていることを特徴とする請求項１記載の丸型砥石の回転数指示ラベル。
【請求項５】
前記ラベルは、紙製であることを特徴とする請求項１記載の丸型砥石の回転数指示ラベル。
【考案の詳細な説明】
【技術分野】
【０００１】
この考案は、丸型砥石に用いるラベルに関するもので、更に述べると、研磨等により丸型砥石の外径が小さくなっても一定の周速が得られる回転数指示ラベルに関するものである。
【背景技術】
【０００２】
研磨用の丸型砥石は、円周面（「外周面」ともいう）を金属等の被削物に当てて研磨を行うが、安定した研削を行うためには、周速度（「周速」ともいう）を一定に保つことが望ましい。
【考案の概要】
【考案が解決しようとする課題】
【０００３】
前記周速度（m/s）は、下記計算式により求めることができる。
丸型砥石の外径（mm）×3.14×回転数（r.p.m）÷1000÷60、
この計算式は、外径と回転数を一定に保てば、一定の周速度を維持することができることを示している。
【０００４】
ところが、丸型砥石の外周面は、研削を行うことにより摩耗し外径（直径）が徐々に小さくなっていく。その結果、前記丸型砥石が同じ回転速度で回転しても、周速度が徐々に遅くなるので、研削性能が低下してしまう。
【０００５】
前記計算式から、丸型砥石の外径が次第に小さくなっても、回転数を調整すれば、一定の周速度を維持することができることがわかる。しかし、研磨作業中に、いちいち外径を測って周速度が一定となる回転数を計算し、その回転数に切り替えるのは面倒であるとともに手間がかかり、作業能率も低下してしまう。そこで、その様にしなくても、一定の周速度を維持できる、外径と回転数との関係が簡単にわかる手段が求められている。
【０００６】
本件考案は、上記事情に鑑み、丸型砥石の周速度を一定にするための、外径と回転数との関係が簡単にわかるようにすることを目的とする。
【課題を解決するための手段】
【０００７】
この考案は、丸型砥石の円板面に配設されるラベルであって、表示部を備え、該表示部には、研削により次第に小さくなる前記丸型砥石の外径に対応する複数の表示区画部が設けられ、該表示区画部には、指定回転数に関する表示がなされていることを特徴とする。
【０００８】
この考案の前記指示回転数に関する表示は、数字、又は、該回転数に対応して定められた色、記号、図形であることを特徴とする。この考案の前記表示部は、円板状に形成されており、各表示区画部は、リング状に形成されるとともに同心状に配設されていることを特徴とする。
【０００９】
この考案の前記表示部は、扇状、長方形状、又は、直線状に形成されていることを特徴とする。この考案の前記ラベルは、紙製であることを特徴とする。
【考案の効果】
【００１０】
この考案は、以上の様に構成したので、回転数指示ラベルを丸型砥石の円板面に固定した後、該砥石を駆動させて回転させると、外径が研削により次第に小さくなるとともに、該ラベルの外周部も同時に削られて小さくなるので、常に前記外径と前記ラベルの外周部の位置は一致する。そのため、前記外周部の表示区画部に表示されている指定回転数に合わせて前記砥石の回転数を制御することにより、常に、一定の周速度を維持することができる。
【図面の簡単な説明】
【００１１】
【図１】本考案の第１実施例を示す平面図である。
【図２】図１のII−II線断面図である。
【図３】丸型砥石の外径が小さくなった状態を示す図である。
【図４】図３のIV−IV線断面図である。
【図５】本考案の第２実施例を示す平面図である。
【図６】本考案の第３実施例を示す平面図である。
【図７】本考案の第４実施例を示す平面図である。
【図８】本考案の第５実施例を示す平面図である。
【考案を実施するための形態】
【００１２】
本考案の第１実施例を図１〜図４により説明する。丸型砥石１の円板面１ａには、回転数指示ラベル３が張られている。このラベル３は、前記砥石１の外径Ｄと同一径に形成された円板シートであり、その表面には、表示部５が設けられている。前記表示部５には、複数のリング状の表示区画部５ａ〜５ｄが設けられているが、前記表示区画部５ａ〜５ｄは、同心状に配設されている。前記ラベル３の素材、厚さ等は、必要に応じて適宜選択されるが、その素材として、丸型砥石の研削と共に削れる材料、例えば、紙が用いられる。
【００１３】
前記各表示区画部５ａ〜５ｄには、周速度が一定になるような回転数が表記されているが、当該回転数は、前記計算式に基いて求められる。例えば、周速度を50 m/sに維持しようとすれば、外径が100 mm、150 mm、180 mmの時には、回転数は順次9,549 r.p.m、6,366 r.p.m、4,658 r.p.m、となる。なお、指示回転数は、数字で表示されているが、必ずしも数字で示す必要はなく、指示回転数に対応する表示、例えば、色、図形、記号、又は、それらの組み合わせ等により指定回転数を表示することも可能である。
【００１４】
表示区画部５ａ〜５ｄの幅（径方向の長さ）は、求める仕上がりの精度、例えば、精レベル、中レベル，粗レベルなどにより適宜選択される。前記表示区画部５ａ〜５ｄの幅を小さくすればするほど精度は良くなるが、本実施例では、使い勝手を考慮し、あまり細かくならない様に丸型砥石の外径に対応する直径を切り良くしており、前記表示区画部５ａ、５ｂ、５ｃ、５ｄの指示回転数は、順次4,600 r.p.m、5,000 r.p.m、5,900 r.p.m、7,300 r.p.m、に設定されている。
【００１５】
次に、本実施例の作動について説明する。丸型砥石１の円板面１ａに、回転数指示ラベル３を中心軸Ｃが同一になる様に（同心状）貼り付け、前記円板面１ａの外周部１ｂと前記ラベル３の外周部３ａの位置を合わせ、前記円板面１ａ外径Ｄと前記ラベル３の直径とを一致させる（図１、図２参照）。
【００１６】
次に、丸型砥石１を4,600 r.p.mで回転させながら研削を開始すると、外周面（研磨面）１ｃが摩耗し次第に外径が小さくなり、Ｄ１となる。この時、前記ラベル３の外周部３ａも同時に摩耗するので、前記ラベル５の表示区画部５ａは無くなり、前記ラベル５の外周部３ａは、区画表示部５ｂに位置する様になる（図３、図４参照）。
【００１７】
そこで、変速機 （図示省略）を操作して丸型砥石１の回転数を区画表示部５ｂに表示されている回転数5,000 r.p.mに切替え、更に、研削を続行する。なお、回転数の切換えは、インバータを用いて行っても良い。
【００１８】
この様にして研削を続行すると、前述の様に、前記砥石1の外周面１ｃが摩耗し外径が次第に小さくなる。そうすると、前記ラベル３の外周部３ａが表示区画部５ｃに位置する様になる。そこで、変速機（図示省略）を操作して丸型砥石１の回転数を5,000 r.p.mに切替え、更に、研削を続行する。
【００１９】
以後同様の要領により、丸型砥石１の回転数を表示区画部５ｃ、５ｄの回転数に従って切り替えれば、簡単に、丸型砥石１の周速度を一定（50 m/s）に維持することができる。
【００２０】
この考案の第２実施例を図５により説明するが、図１〜４と同一符号は、その名称も機能も同一である。この実施例と第１実施例との相違点は、各表示区画部５ａ〜５ｄの表示を、回転数の数字の代わりに、指定回転数に対応する色で表示したことである。
【００２１】
前記色（カラー）は、回転数と関連付けられていれば自由に選択することができ、例えば、表示区画部５ａの回転数4,600 r.p.mはグリーン（緑）、表示区画部５ｂの回転数5,000 r.p.mはイエロー（黄）、表示区画部５ｃの回転数5，900 r.p.mはブルー（青）、表示区画部５ｄの回転数7,300 r.p.mはレッド（赤）、により表示する。
【００２２】
この考案の第３実施例を図６により説明するが、図１〜４と同一符号は、その名称も機能も同一である。この実施例と第１実施例との相違点は、表示部５を第１実施例の1/4の円周角（90度）にし、ほぼ扇型にしたことである。なお、、この実施例では、第１実施例の1/4の円周角（90度）にしたが、この円周角の大きさは、必要に応じて選択でき、例えば、第１実施例の1/2、3/4の円周角にすることも可能である。
【００２３】
この考案の第４実施例を図７により説明するが、図１〜４と同一符号は、その名称も機能も同一である。この実施例と第１実施例との相違点は、第１実施例の表示部５を、直径Ｄを挟む平行な直線で区切り、ほぼ長方形状にしたことである。なお、この実施例では、中心Ｃの上方部及び下方部に表示部５がわかれているが、上方部、又は、下方部の一方だけを表示部としても良い。
【００２４】
この考案の第５実施例を図８により説明するが、図１〜４と同一符号は、その名称も機能も同一である。この実施例と第１実施例との相違点は、各表示区画部５ａ〜５ｄの表示を、中心Ｃを通る直線Ｓ上の目盛とするとともに、該目盛に指定回転数に対応する色を付けたことである。
【００２５】
例えば、表示区画部５ａの回転数4,600 r.p.mを示す目盛にはグリーン（緑）、表示区画部５ｂの回転数5,000 r.p.mを示す目盛には、イエロー（黄）、表示区画部５ｃの回転数5,900 r.p.mを示す目盛には、ブルー（青）、表示区画部５ｄの回転数7,300 r.p.mを示す目盛には、レッド（赤）、が付いている。なお、色の代わりに、回転数（数字）や回転数に対応する図形、記号などを表示しても良い。この実施例では、中心Ｃの上方部及び下方部に表示部５がわかれているが、上方部、又は、下方部の一方だけを表示部としても良い。
【符号の説明】
【００２６】
１    丸型砥石
１ａ  円板面
１ｂ  外周部
１ｃ  外周面
３    回転数指示ラベル
３ａ  外周部
５    表示部
５ａ  表示区画部
５ｂ  表示区画部
５ｃ  表示区画部
５ｄ  表示区画部
【図１】
0003214139.tif 000003
【図２】
0003214139.tif 000004
【図３】
0003214139.tif 000005
【図４】
0003214139.tif 000006
【図５】
0003214139.tif 000007
【図６】
0003214139.tif 000008
【図７】
0003214139.tif 000009
【図８】
0003214139.tif 000010